(57)【要約】【課題】スライダの収容部の浸水を防止する。【解決手段】コネクタは、互いに嵌合可能な第１、第２ハウジング１０、９０と、第１ハウジング１０に対して嵌合方向と交差する向きに移動可能に装着されるスライダ４０とを備える。スライダ４０は、第２ハウジング９０と係合してカム作用を発揮するカム板４２を有し、第１ハウジング１０は、その外面に開口された挿入口２５を通してカム板４２が挿入される収容部２６を有している。スライダ４０には、カム板４２が収容部２６に正規深さで挿入されたときに、挿入口２５の口縁とカム板４２の外面との間の隙間を覆って塞ぐ遮水部４７がカム板４２から突出して設けられている。【選択図】図５
2010153084.tif 000002
【特許請求の範囲】
【請求項１】
互いに嵌合可能な第１、第２ハウジングと、前記第１ハウジングに対して前記両ハウジングの嵌合方向と交差する向きに移動可能に装着されるスライダとを備え、前記スライダは、前記第２ハウジングと係合するカム板を有し、前記第１ハウジングは、その外面に開口された挿入口を通して前記カム板が挿入される収容部を有しており、前記カム板が前記第２ハウジングとの係合状態を保ちつつ前記収容部に深く挿入されることにより、前記両ハウジングの嵌合動作が進行するコネクタであって、
前記スライダには、前記カム板が前記収容部に正規深さで挿入されたときに、前記挿入口の口縁と前記カム板の外面との間の隙間を覆って塞ぐ遮水部が前記カム板から突出して設けられていることを特徴とするコネクタ。
【請求項２】
前記カム板が前記収容部に正規深さで挿入されたときに、前記遮水部が前記隙間の全領域を塞ぐことを特徴とする請求項１記載のコネクタ。
【請求項３】
前記遮水部は、前記隙間と対向して配される覆い壁と、前記覆い壁から前記第１ハウジングの側面に沿って垂れて配される垂壁とからなることを特徴とする請求項１又は２記載のコネクタ。
【請求項４】
前記第１ハウジングの外面には、前記カム板が前記収容部に正規深さで挿入されたときに、前記垂壁の垂下端と略平行に当接又は近接するリブが設けられていることを特徴とする請求項３記載のコネクタ。
【請求項５】
前記リブの外面は、前記カム板が前記収容部に正規深さで挿入されたときに、前記垂壁の外面と面一に揃う位置に配されるか、あるいは前記垂壁の外面よりも内側へ引っ込んだ位置に配されることを特徴とする請求項４記載のコネクタ。
【発明の詳細な説明】
【技術分野】
【０００１】
本発明は、コネクタに関する。
【背景技術】
【０００２】
特許文献１に記載のコネクタは、互いに嵌合可能な第１、第２ハウジングと、第１ハウジングに対して嵌合方向と直交する方向に移動可能に装着されるスライダとを備えている。スライダは、操作板とカム板とで全体として門型板状をなし、第１ハウジングには、両カム板がそれぞれ挿入される一対の収容部が設けられている。
【０００３】
両カム板が収容部に挿入され、両ハウジングが浅く嵌合された状態で、操作板が第１ハウジング側に押し込まれると、両カム板が収容部に深く挿入されるとともに、両カム板と第２ハウジングとが互いに係合して双方間にカム作用が発揮され、これにより、両ハウジングの嵌合動作が低嵌合力で進行するようになっている。
【特許文献１】特開２００５−１８３２９７公報
【発明の開示】
【発明が解決しようとする課題】
【０００４】
ところで、第１ハウジングの外面には、収容部の開口としてカム板の挿入口が開設されていた。このため、両カム板が収容部に挿入された状態で、両カム板の外面と挿入口の口縁との間の隙間を通して収容部内に水が浸入するおそれがあった。その結果、収容部から両ハウジングの嵌合面にも水が伝わり、防水性が低下する懸念があった。
【０００５】
本発明は上記のような事情に基づいて完成されたものであって、スライダの収容部の浸水を防止することを目的とする。
【課題を解決するための手段】
【０００６】
上記の目的を達成するための手段として、請求項１の発明は、互いに嵌合可能な第１、第２ハウジングと、前記第１ハウジングに対して前記両ハウジングの嵌合方向と交差する向きに移動可能に装着されるスライダとを備え、前記スライダは、前記第２ハウジングと係合するカム板を有し、前記第１ハウジングは、その外面に開口された挿入口を通して前記カム板が挿入される収容部を有しており、前記カム板が前記第２ハウジングとの係合状態を保ちつつ前記収容部に深く挿入されることにより、前記両ハウジングの嵌合動作が進行するコネクタであって、前記スライダには、このカム板が前記収容部に正規深さで挿入されたときに、前記挿入口の口縁と前記カム板の外面との間の隙間を塞ぐ遮水部が前記カム板から突出して設けられている構成としたところに特徴を有する。
【０００７】
請求項２の発明は、請求項１に記載のものにおいて、前記カム板が前記収容部に正規深さで挿入されたときに、前記遮水部が前記隙間の全領域を塞ぐところに特徴を有する。
【０００８】
請求項３の発明は、請求項１又は２に記載のものにおいて、前記遮水部は、前記隙間と対向して配される覆い壁と、前記覆い壁から前記第１ハウジングの外面に沿って垂下して配される垂壁とからなるところに特徴を有する。
【０００９】
請求項４の発明は、請求項３に記載のものにおいて、前記第１ハウジングの外面には、前記カム板が前記収容部に正規深さで挿入されたときに、前記垂壁の垂下端と略平行に当接又は近接するリブが設けられているところに特徴を有する。
【００１０】
請求項５の発明は、請求項４に記載のものにおいて、前記リブの外面は、前記カム板が前記収容部に正規深さで挿入されたときに、前記垂壁の外面と面一に揃う位置に配されるか、あるいは前記垂壁の外面よりも内側へ引っ込んだ位置に配されるところに特徴を有する。
【発明の効果】
【００１１】
＜請求項１の発明＞
カム板が収容部に正規深さで挿入されたときに、収容部の挿入口の口縁とカム板の外面との間の隙間がスライダの遮水部によって塞がれるから、収容部の浸水が防止される。また、遮水部がカム板から突出して設けられることにより、遮水部を摘みながらスライダの移動操作を行うことができる。
【００１２】
＜請求項２の発明＞
遮水部が隙間の全領域を塞ぐため、収容部の浸水がより確実に防止される。
【００１３】
＜請求項３の発明＞
遮水部が覆い壁と垂壁とからなるため、水が覆い壁から垂壁を伝って排水され、収容部の浸水がより確実に防止される。
【００１４】
＜請求項４の発明＞
スライダが収容部に正規深さで挿入されたときに、垂壁の垂下端とリブとが略平行に当接又は近接するから、この状態を視認することにより、スライダの装着姿勢が正しいか否かを判断することができる。
【００１５】
＜請求項５の発明＞
リブの外面が垂壁の外面と面一に揃う位置に配されるかあるいは垂壁の外面よりも内側へ引っ込んだ位置に配されるため、垂壁に指をあてがうことが可能となり、遮水部の摘み操作の円滑性が担保される。
【発明を実施するための最良の形態】
【００１６】
＜実施形態１＞
本発明の実施形態１を図１ないし図９によって説明する。本実施形態に係るコネクタは、互いに嵌合可能な第１、第２ハウジング１０、９０と、第１ハウジング１０に移動可能に装着されるスライダ４０とを備えている。なお、以下の説明において前後方向については、両ハウジング１０、９０の互いの嵌合面側を前方とする。
【００１７】
第２ハウジング９０は合成樹脂製であって、図６に示すように、２つのサブハウジング９１によって構成されている。サブハウジング９１は角ブロック状であって互いに異形状をなし、その内部には図示しない第２端子金具が挿入されている。サブハウジング９１の両側面には、円柱状をなす一対のカムフォロア９２が突出して設けられている。
【００１８】
第１ハウジング１０は同じく合成樹脂製であって、図１に示すように、前後方向に開放された筒状のホルダ１１と、ホルダ１１の後部に収容される図示しないハウジング本体とによって構成されている。ハウジング本体内には、両ハウジング１０、９０の嵌合によって第２端子金具と導通接続される図示しない第１端子金具が装着されている。
【００１９】
ホルダ１１は、図９に示すように、上下両壁１２と左右両側壁１３とによって画成され、その後端部に位置するパネル取付部１４と、その前端部に位置するハウジング嵌合部１５とを備えている。パネル取付部１４は、ハウジング嵌合部１５よりも一段外側に膨出する形状とされ、その周方向に間隔をあけて複数のパネルロック部１６が設けられている。パネルロック部１６は内外に撓み可能とされ、図１に示すように、各パネルロック部１６がパネル８０に開設された取付孔８１の孔縁を弾性的に係止することにより、ホルダ１１がパネル８０に取り付けられるようになっている。パネル取付部１４の後端には全周に亘って張り出すフランジ１７が設けられ、このフランジ１７とパネルロック部１６との間にパネル８０が板厚方向に挟まれる。フランジ１７の外周縁には、周方向に間隔をあけて複数の係止突起１８が設けられている。各係止突起１８には後方からブーツ状のゴム製のグロメット７０が引っ掛け係止され、これにより、ホルダ１１の後方がグロメット７０によって覆われ、ハウジング本体から導出される電線の保護がなされる。
【００２０】
図９に示すように、ハウジング嵌合部１５の内部には嵌合空間１９が保有され、この嵌合空間１９内には相手側のサブハウジング９１が上下２段に分かれて収容される。ハウジング嵌合部１５の両側壁１３のうちの一方（図示向かって左側）の側壁１３には、第２ハウジング９０との嵌合に伴って両サブハウジング９１に形成された係合溝（図示せず）が嵌入可能な上下一対の係合片２０が嵌合空間１９内に略水平に突出して設けられている。また、ハウジング嵌合部１５の両側壁１３のうちの他方（図示向かって右側）の側壁１３には、両サブハウジング９１間を仕切る１つの隔壁部２１が同じく嵌合空間１９内に略水平に突出して設けられている。両係合片２０が係合溝に嵌合され、隔壁部２１が両サブハウジング９１の上下両面と当接することにより、両サブハウジング９１の嵌合空間１９への誤嵌合が防止され、かつ両サブハウジング９１の嵌合空間１９内における位置決めがなされる。
【００２１】
ハウジング嵌合部１５の両側壁１３の外面には、図１に示すように、高さ方向に間隔をあけて複数のリブ２２が設けられている。各リブ２２は、前後方向に延出する形状とされ、ホルダ１１をパネル８０の取付孔８１に位置決めする役割をもっている。各リブ２２の前端部は、図８に示すように、後方へ行くにしたがって肉厚を増す形状とされ、その外面にはテーパ状の斜面２３が形成されている。
【００２２】
ハウジング嵌合部１５の両側壁１３の上端部には、図９に示すように、上面と側面とによって正面視Ｌ字形に画成される幅方向に一対の段付部２４が設けられている。両段付部２４の側面は上壁１２の上面に略直角に連なり、上壁１２の上面にはスライダ４０の操作板４１（後述する）が当接可能とされている。また、両段付部２４の上面には、図８に示すように、スライダ４０のカム板４２（後述する）が挿入される幅方向に一対の挿入口２５が設けられ、さらに、図３に示すように、挿入口２５を上端としながら高さ方向（上下方向）に貫通する収容部２６が設けられている。両段付部２４の挿入口２５は、前後方向に細長いスリット状をなし、上方に向けて開口されている。収容部２６には、互いに略平行に対向する内外両壁２７（図５を参照）の間に、カム板４２の収容空間２８（図８を参照）が保有されている。図５に示すように、収容部２６の側内面は段付部２４の側面と面一で連続し、段付部２４の側面から収容部２６の側内面にかけて、カム板４２の内面が摺動可能とされている。
【００２３】
ハウジング嵌合部１５の両側壁１３の前面には、図９に示すように、第２ハウジング９０との嵌合に伴って前方からサブハウジング９１のカムフォロア９２を受ける上下一対ずつの受容溝２９が開口して設けられている。受容溝２９は、前後方向に延出してその後端が収容空間２８に連通する形状とされている。
【００２４】
続いてスライダ４０について説明すると、スライダ４０は合成樹脂製であって、図４に示すように、幅方向に延びる操作板４１と、操作板４１の両端から互いに平行に突出する幅方向に一対のカム板４２とからなり、全体として門型板状をなしている。かかるスライダ４０は、ハウジング嵌合部１５に上方から跨ぐようにして組み付けられ、両カム板４２が収容部２６内に浅く進入するとともに操作板４１がハウジング嵌合部１５の上壁１２の上面から離間して配される初期位置と、両カム板４２が収容部２６内に深く進入するとともに操作板４１がハウジング嵌合部１５の上壁１２の上面に当接して配される嵌合位置との間を、両ハウジング１０、９０の嵌合方向と直交する高さ方向に直進状に移動可能とされている。
【００２５】
両カム板４２の前後両端縁は、図３に示すように、収容部２６の前後両内縁に摺動可能とされ、これによってスライダ４０の前後方向への遊動が規制されている。両カム板４２には、上下一対の弾性撓み片４３が切り欠いて設けられている。両弾性撓み片４３が収容部２６の内面に設けられた図示しない受け部を弾性的に係止することにより、スライダ４０が初期位置又は嵌合位置（後述する）で移動規制状態に保持されるようになっている。
【００２６】
両カム板４２には、図６に示すように、上下一対ずつのカム溝４４が設けられている。このカム溝４４は、略水平に延出して両カム板４２の前縁に開口することによって前方からカムフォロア９２を受け入れる導入溝４５と、導入溝４５の後端から斜め上方に延出してカムフォロア９２と係合することによってカム作用を発揮する作動溝４６とからなる。
【００２７】
また、両カム板４２の外面には、図５に示すように、嵌合位置において挿入口２５に挿入されたカム板４２の外面と挿入口２５の口縁との間の隙間を上方から覆って塞ぐことにより、収容部２６内への水の浸入を遮断する遮水部４７が突出して設けられている。
【００２８】
遮水部４７は、嵌合位置において、図２に示すように、段付部２４の上面に当接して収容部２６の挿入口２５と対向する覆い壁４８と、図１及び図４に示すように、覆い壁４８の突出端からハウジング嵌合部１５の両側壁１３の外面に沿って垂下する垂壁４９とからなり、全体として断面略Ｌ字形をなしている。覆い壁４８は、段付部２４の上面全体を覆う大きさをなし、収容部２６の挿入口２５の全領域を塞ぐように構成されている。垂壁４９は、覆い壁４８の突出端の全周に連なり、両側壁１３の側外面のみならず両側壁１３の前面にも沿うよう略Ｌ字形に屈曲されている。両側壁１３の前面側に回り込んだ垂壁４９の垂下端は、図４に示すように、嵌合位置において、受容溝２９の開口縁の上端に沿って配されている。つまり、遮水部４７の前端部はカム板４２の前端縁よりも前方へ突出する形状とされ、嵌合位置では、遮水部４７が段付部２４を蓋閉めするような形態をとる。
【００２９】
垂壁４９の垂下端（下端）は、最上段に位置するリブ２２と略平行に配され、図１に示すように、嵌合位置ではこのリブ２２と当接可能に配される。垂壁４９の外面はリブ２２の外面よりも外側に位置しており、図５に示すように、垂壁４９の垂下端には段差面５１が下向きに露出して配されている。この垂壁４９の段差面５１には指を引っ掛けることが可能とされている。とりわけ、垂壁４９の段差面５１のうちリブ２２の斜面２３と対応する領域は、その露出量が大きく、指の引っ掛け領域が広く確保されている。もちろん、段差面５１のうちリブ２２とは非対応とされる前端部分には何らの支障なく指を引っ掛けることが可能とされている。なお、覆い壁４８の上面と垂壁４９の外側面との連結部位は、図４に示すように、弧状のアール面５４とされ、このアール面５４に沿って水の滑落が誘導される。
【００３０】
次に、本実施形態に係るコネクタの組み付け方法について説明する。  
まず、パネル８０の取付孔８１にホルダ１１を嵌着させ、パネル８０の前面前方にハウジング嵌合部１５を突出させる。続いて、ハウジング嵌合部１５の両挿入口２５を通して収容部２６内に上方からカム板４２を挿入し、スライダ４０を初期位置に留め置く。すると、スライダ４０のカム溝４４（導入溝４５）の入り口がハウジング嵌合部１５の導入溝４５と連通する位置に配される。この状態で、ハウジング嵌合部１５の嵌合空間１９内に前方からサブハウジング９１を挿入する。このとき、比較的大型のサブハウジング９１が隔壁部２１を挟んで上段に配され、比較的小型のサブハウジング９１が隔壁部２１を挟んで下段に配されるようにする。こうして両サブハウジング９１を嵌合空間１９内に浅く嵌合すると、図６に示すように、カムフォロア９２がカム溝４４に進入して導入溝４５の奥端に到達する。
【００３１】
次いで、操作板４１に下向きの押圧力を付与し、スライダ４０を下降させて嵌合位置に至らす。スライダ４０の嵌合位置への移動過程では、カム板４２が収容部２６内に次第に深く挿入されるとともに、カムフォロア９２がカム溝４４の作動溝４６の溝面を摺動し、もって発揮されるカム作用によって両サブハウジング９１が互いに低嵌合力で引き寄せられる。スライダ４０が嵌合位置に至ると、図７に示すように、カムフォロア９２が作動溝４６の奥端に到達するとともに、操作板４１がハウジング嵌合部１５の上壁１２の上面に当接して、スライダ４０のそれ以上下方への押し込み操作が規制される。このとき、両ハウジング１０、９０は互いに正規嵌合され、両ハウジング１０、９０に装着された図示しない両端子金具は互いに正規深さで接続される。
【００３２】
また、スライダ４０が嵌合位置に至ると、図２〜図５に示すように、遮水部４７の覆い壁４８は、段付部２４の上面の全面に当接して、カム板４２の外面と挿入口２５の口縁との間の隙間を上方から完全に覆って閉塞し、かつ遮水部４７の垂壁４９は、ハウジング嵌合部１５の両側壁１３の外面上端部を外側から覆って、その垂下端とリブ２２の上端とがほぼ隙間なく平行に配される。したがって、例えば、外部異物がリブ２２と干渉することで垂壁４９の垂下端に干渉するのが回避され、スライダ４０が不用意に初期位置に戻り移動するのが阻止される。これに対し、メンテナンス等の正当な理由によって両ハウジング１０、９０を離間するべくスライダ４０を初期位置に戻し操作する際には、垂壁４９の外側面及び段差面５１に指をあてがってこれを上向きに押し上げればよい。
【００３３】
ところで、ハウジング嵌合部１５の外面が被水されると、この水は、覆い壁４８の上面から垂壁４９の外側面へと円滑に流れ、垂壁４９の垂下端から落下する。このため、収容部２６の収容空間２８に水が浸入することはなく、したがって受容溝２９等を介して両ハウジング１０、９０の嵌合面に水が伝わることもない。
【００３４】
以上説明したように本実施形態によれば、スライダ４０が嵌合位置に至ると、収容部２６の挿入口２５の口縁とカム板４２の外面との間の隙間が遮水部４７によって塞がれるから、収容部２６の浸水が防止される。しかも、遮水部４７が隙間の全領域を塞ぐため、収容部２６の浸水がより確実に防止される。
【００３５】
また、遮水部４７が覆い壁４８と垂壁４９とからなるため、水が覆い壁４８から垂壁４９を伝って下方へ円滑に排水され、収容部２６の浸水がより確実に防止される。
【００３６】
また、スライダ４０が嵌合位置に至ると、垂壁４９の垂下端とリブ２２とが略平行に当接可能に配されるから、この状態を視認することにより、スライダ４０の装着姿勢が前後方向に傾いていないかどうかを判断することができる。
【００３７】
さらに、リブ２２の外面が垂壁４９の外面よりも内側へ引っ込んだ位置に配されるため、垂壁４９に指をあてがう余地が残されて、スライダ４０を初期位置に戻し操作する際に、遮水部４７の摘み操作の円滑性が担保される。
【００３８】
＜他の実施形態＞
本発明は上記記述及び図面によって説明した実施形態に限定されるものではなく、例えば次のような実施形態も本発明の技術的範囲に含まれる。  
（１）スライダが嵌合位置にあるときに、遮水部は、収容部の挿入口を覆って塞ぐ一方で、挿入口との間に高さ方向の若干の隙間があいていてもよい。  
（２）スライダが嵌合位置にあるときに、垂壁の垂下端とリブとが当接することなく近接して配される構成であってもよい。これによっても、垂壁の垂下端とリブとの位置関係を視認することにより、スライダの挿入状態を検知できる。  
（３）垂壁の外面とリブの外面とが面一に揃っていてもよい。これによっても、垂壁の外面に指をあてがってスライダの移動操作を行うことができる。  
（４）スライダのカム板は１枚で構成され、挿入口及び収容部は第１ハウジングに１つ設けられる構成であってもよい。  
（５）収容部は第１ハウジングに有底状に形成されてもよい。
【図面の簡単な説明】
【００３９】
【図１】本発明の実施形態１に係るコネクタにおいて、嵌合位置にスライダを装着した第１ハウジングの側面図である。
【図２】嵌合位置にスライダを装着した第１ハウジングの平面図である。
【図３】嵌合位置にスライダを装着した第１ハウジングの側方から見た断面図である。
【図４】嵌合位置にスライダを装着した第１ハウジングの正面図である。
【図５】嵌合位置にスライダを装着した第１ハウジングを正面から見た断面図である。
【図６】初期位置にスライダを装着して、第２ハウジングと嵌合される第１ハウジングを側方から見た断面図である。
【図７】嵌合位置にスライダを至らせて、第２ハウジングと正規嵌合された第１ハウジングを側方から見た断面図である。
【図８】スライダを装着する前の第１ハウジングの平面図である。
【図９】スライダを装着する前の第１ハウジングの正面図である。
【符号の説明】
【００４０】
１０…第１ハウジング
１１…ホルダ
２５…挿入口
２６…収容部
４０…スライダ
４１…操作板
４２…カム板
４４…カム溝
４７…遮水部
４８…覆い壁
４９…垂壁
９０…第２ハウジング
９２…カムフォロア
【図１】
2010153084.tif 000003
【図２】
2010153084.tif 000004
【図３】
2010153084.tif 000005
【図４】
2010153084.tif 000006
【図５】
2010153084.tif 000007
【図６】
2010153084.tif 000008
【図７】
2010153084.tif 000009
【図８】
2010153084.tif 000010
【図９】
2010153084.tif 000011